(57)【要約】【課題】汎用のカード型無線通信装置における画像ファイル又は動画ファイルの更新を検知して、必要な処理を行うことができるようにすること。【解決手段】表示装置１００は、不揮発性メモリ、無線通信部、及び、当該無線通信部を介して受信されたファイルを当該不揮発性メモリに記憶させる制御部を備えるカード型無線通信装置を接続するＩ／Ｆ部１１４と、カード型無線通信装置の不揮発性メモリに新たなファイルが記憶されたか否かを判定するファイル更新判定部１０５と、不揮発性メモリに新たなファイルが記憶されたと判定された場合に、不揮発性メモリに記憶されている画像ファイル及び動画ファイルの少なくとも何れか一方の一覧リストを生成し、表示部１１２に表示させるファイルリスト生成部１０３とを備える。【選択図】図３
2014089517.tif 000002
【特許請求の範囲】
【請求項１】
ファイルを記憶する不揮発性メモリ、無線通信を行う無線通信部、及び、当該無線通信部を介して受信されたファイルを当該不揮発性メモリに記憶させる制御部を備えるカード型無線通信装置を接続するインターフェース部と、
前記不揮発性メモリに新たなファイルが記憶されたか否かを判定するファイル更新判定部と、
前記ファイル更新判定部で前記不揮発性メモリに新たなファイルが記憶されたと判定された場合に、前記不揮発性メモリに記憶されている画像ファイル及び動画ファイルの少なくとも何れか一方の一覧リストを生成し、表示部に表示させるファイルリスト生成部と、を備えること
を特徴とする表示装置。
【請求項２】
前記表示部に表示された一覧リストから、再生を行う画像ファイル又は動画ファイルの指示の入力を受ける入力部と、
前記入力部で再生指示された画像ファイル又は動画ファイルを、前記不揮発性メモリから取得して、当該取得された画像ファイル又は動画ファイルに基づいて画像を再生し、当該画像を前記表示部に表示させるファイル再生部と、をさらに備えること
を特徴とする請求項１に記載の表示装置。
【請求項３】
前記不揮発性メモリへのアクセス権を管理することで、前記ファイルリスト生成部又は前記ファイル再生部と、前記ファイル更新判定部とが、同時に前記不揮発性メモリにアクセスしないように制御するファイルアクセス排他制御部をさらに備えること
を特徴とする請求項２に記載の表示装置。
【請求項４】
前記ファイル更新判定部は、前記不揮発性メモリに記憶されているファイルを管理するための管理情報を生成することで、前記不揮発性メモリに新たなファイルが記憶されたか否かを判定すること
を特徴とする請求項１から３の何れか一項に記載の表示装置。
【請求項５】
前記管理情報は、前記不揮発性メモリに記憶されているファイルを識別するための識別情報をリスト化した情報、前記不揮発性メモリに記憶されているファイルの総数を示す情報、又は、前記不揮発性メモリのメモリ使用量を示す情報であること
を特徴とする請求項４に記載の表示装置。
【請求項６】
前記ファイルリスト生成部は、前記ファイル更新判定部で前記不揮発性メモリに新たなファイルが記憶されたと判定され、かつ、前記入力部が前記一覧リストを表示する指示の入力を受けた場合に、前記一覧リストを生成すること
を特徴とする請求項１から５の何れか一項に記載の表示装置。
【請求項７】
前記ファイル更新判定部は、予め定められた時間が経過する毎に、前記不揮発性メモリに新たなファイルが記憶されたか否かを判定すること
を特徴とする請求項１から６の何れか一項に記載の表示装置。
【請求項８】
ファイルを記憶する不揮発性メモリ、無線通信を行う無線通信部、及び、当該無線通信部を介して受信されたファイルを当該不揮発性メモリに記憶させる制御部を備えるカード型無線通信装置を接続するインターフェース部と、
前記不揮発性メモリに、操作指示を示す新たな操作指示ファイルが記憶されたか否かを判定し、当該新たな操作指示ファイルが記憶されている場合には、当該新たな操作指示ファイルで示されている操作指示を取得する操作指示ファイル確認部と、
前記操作指示ファイル確認部で取得された操作指示に従って処理を行う処理実行部と、を備えること
を特徴とする表示装置。
【請求項９】
前記操作指示ファイル確認部は、前記新たな操作指示ファイルで示されている操作指示を取得した場合には、前記不揮発性メモリから前記新たな操作指示ファイルを削除することで、前記不揮発性メモリに操作指示ファイルが存在する場合に、前記不揮発性メモリに新たな操作指示ファイルが記憶されたと判断すること
を特徴とする請求項８に記載の表示装置。
【請求項１０】
前記操作指示ファイルで示される操作指示には、前記不揮発性メモリに記憶されているファイルに対して、予め定められた処理を行う操作指示が含まれること
を特徴とする請求項８又は９に記載の表示装置。
【請求項１１】
ファイルを記憶する不揮発性メモリ、無線通信を行う無線通信部、及び、当該無線通信部を介して受信されたファイルを当該不揮発性メモリに記憶させる制御部を備えるカード型無線通信装置を接続する接続過程と、
前記不揮発性メモリに新たなファイルが記憶されたか否かを判定するファイル更新判定過程と、
前記ファイル更新判定過程で前記不揮発性メモリに新たなファイルが記憶されたと判定された場合に、前記不揮発性メモリに記憶されている画像ファイル及び動画ファイルの少なくとも何れかの一覧リストを生成し、表示過程に表示させるファイルリスト生成過程と、を有すること
を特徴とする表示方法。
【請求項１２】
ファイルを記憶する不揮発性メモリ、無線通信を行う無線通信部、及び、当該無線通信部を介して受信されたファイルを当該不揮発性メモリに記憶させる制御部を備えるカード型無線通信装置を接続する接続過程と、
前記不揮発性メモリに、操作指示を示す新たな操作指示ファイルが記憶されたか否かを判定し、当該新たな操作指示ファイルが記憶されている場合には、当該新たな操作指示ファイルで示されている操作指示を取得する操作指示ファイル確認過程と、
前記操作指示ファイル確認過程で取得された操作指示に従って処理を行う処理実行過程と、を有すること
を特徴とする表示方法。
【発明の詳細な説明】
【技術分野】
【０００１】
本発明は、表示装置及び表示方法に関する。
【背景技術】
【０００２】
近年、ＳＤカード等のメモリカードに記憶されている画像ファイル又は動画ファイルを再生可能な表示装置が広く普及している。
【０００３】
表示装置に表示させたい画像ファイル又は動画ファイルをメモリカードに追加する場合は、通常、ユーザは、表示装置からメモリカードを抜き、表示させたい画像ファイル又は動画ファイルが保存されているパソコン等の外部端末に持って行く必要がある。このため、このような作業は、ユーザにとって煩わしい作業となっている。
【０００４】
また、表示装置が外部端末とネットワークで接続できる環境であれば、ネットワーク経由のファイル受信機能を表示装置に設けることで、メモリカードを抜かずに画像ファイル又は動画ファイルを追加することができる。しかしながら、ネットワーク経由を前提としたファイル受信機能の実装やネットワーク環境の構築が必要となるため使用条件が限られる。
【０００５】
そこで、近年登場している、メモリ機能、無線ＬＡＮアクセスポイント機能及びデータ送受信機能を持つカード型無線通信装置を利用することができる。このような場合には、画像ファイル又は動画ファイルを保持している外部端末から、無線ＬＡＮを介して、直接カード型無線通信装置に、画像ファイル又は動画ファイルが送信され、画像ファイル又は動画ファイルが不揮発性メモリに記憶される。表示装置は、装着されたカード型無線通信装置をリムーバブルストレージデバイスとして認識できるため、不揮発性メモリに記憶されているデータにファイルシステムを介してアクセスすることで、画像ファイル又は動画ファイルの再生が可能となる。
【０００６】
しかしながら、このようなカード型無線通信装置は、独自に外部端末とデータの送受信を行うため、表示装置は、カード型無線通信装置が外部端末から受信した画像ファイル又は動画ファイルを不揮発性メモリに記憶したことを、検知することができない。そのため、ユーザが表示させたい画像ファイル又は動画ファイルを送信しても、表示装置は、ユーザの意図を反映することができない。
【０００７】
上記のような問題に対して、不揮発性メモリのデータが更新されたことを通知するためのリセット信号をホスト装置に送信する電子装置が開示されている（特許文献１参照）。
【先行技術文献】
【特許文献】
【０００８】
【特許文献１】特開２００９−２８２６１７号公報
【発明の概要】
【発明が解決しようとする課題】
【０００９】
このような従来の電子装置では、リセット信号を送信する機能の追加が必要であり、また、ホスト装置である表示装置でも、リセット信号を受信するためのハードウェアの変更が必要である。そのため、普及している一般的なメモリ機能、無線ＬＡＮアクセスポイント機能及びデータ送受信機能を持つカード型無線通信装置をそのまま使用することができないという問題がある。
【００１０】
そこで、本発明は、汎用のカード型無線通信装置における画像ファイル又は動画ファイルの更新を検知して、必要な処理を行うことができるようにすることを目的とする。
【課題を解決するための手段】
【００１１】
本発明の一態様に係る表示装置は、ファイルを記憶する不揮発性メモリ、無線通信を行う無線通信部、及び、当該無線通信部を介して受信されたファイルを当該不揮発性メモリに記憶させる制御部を備えるカード型無線通信装置を接続するインターフェース部と、前記不揮発性メモリに新たなファイルが記憶されたか否かを判定するファイル更新判定部と、前記ファイル更新判定部で前記不揮発性メモリに新たなファイルが記憶されたと判定された場合に、前記不揮発性メモリに記憶されている画像ファイル及び動画ファイルの少なくとも何れか一方の一覧リストを生成し、表示部に表示させるファイルリスト生成部と、を備えることを特徴とする。
【００１２】
また、本発明の他の態様に係る表示装置は、ファイルを記憶する不揮発性メモリ、無線通信を行う無線通信部、及び、当該無線通信部を介して受信されたファイルを当該不揮発性メモリに記憶させる制御部を備えるカード型無線通信装置を接続するインターフェース部と、前記不揮発性メモリに、操作指示を示す新たな操作指示ファイルが記憶されたか否かを判定し、当該新たな操作指示ファイルが記憶されている場合には、当該新たな操作指示ファイルで示されている操作指示を取得する操作指示ファイル確認部と、前記操作指示ファイル確認部で取得された操作指示に従って処理を行う処理実行部と、を備えることを特徴とする。
【００１３】
また、本発明の一態様に係る表示方法は、ファイルを記憶する不揮発性メモリ、無線通信を行う無線通信部、及び、当該無線通信部を介して受信されたファイルを当該不揮発性メモリに記憶させる制御部を備えるカード型無線通信装置を接続する接続過程と、前記不揮発性メモリに新たなファイルが記憶されたか否かを判定するファイル更新判定過程と、前記ファイル更新判定過程で前記不揮発性メモリに新たなファイルが記憶されたと判定された場合に、前記不揮発性メモリに記憶されている画像ファイル及び動画ファイルの少なくとも何れかの一覧リストを生成し、表示過程に表示させるファイルリスト生成過程と、を有することを特徴とする。
【００１４】
また、本発明の他の態様に係る表示方法は、ファイルを記憶する不揮発性メモリ、無線通信を行う無線通信部、及び、当該無線通信部を介して受信されたファイルを当該不揮発性メモリに記憶させる制御部を備えるカード型無線通信装置を接続する接続過程と、前記不揮発性メモリに、操作指示を示す新たな操作指示ファイルが記憶されたか否かを判定し、当該新たな操作指示ファイルが記憶されている場合には、当該新たな操作指示ファイルで示されている操作指示を取得する操作指示ファイル確認過程と、前記操作指示ファイル確認過程で取得された操作指示に従って処理を行う処理実行過程と、を有することを特徴とする。
【発明の効果】
【００１５】
本発明の一態様によれば、汎用のカード型無線通信装置における画像ファイル又は動画ファイルの更新を検出して、必要な処理を行うことができる。
【図面の簡単な説明】
【００１６】
【図１】実施の形態１〜３におけるネットワークシステムの構成を概略的に示すブロック図である。
【図２】実施の形態１におけるカード型無線通信装置の構成を概略的に示すブロック図である。
【図３】実施の形態１及び２に係る表示装置の構成を概略的に示すブロック図である。
【図４】実施の形態１に係る表示装置にカード型無線通信装置が装着された際のメイン処理を示すフローチャートである。
【図５】実施の形態１に係る表示装置におけるファイル更新判定処理を示すフローチャートである。
【図６】実施の形態１に係る表示装置におけるファイルアクセス排他制御処理の第１の例を示すフローチャートである。
【図７】実施の形態１に係る表示装置におけるファイルアクセス排他制御処理の第２の例を示すフローチャートである。
【図８】実施の形態１に係る表示装置におけるファイルリスト表示処理を示すフローチャートである。
【図９】実施の形態１に係る表示装置におけるファイル再生処理を示すフローチャートである。
【図１０】実施の形態３に係る表示装置の構成を概略的に示すブロック図である。
【図１１】実施の形態３に係る表示装置にカード型無線通信装置が装着された際のメイン処理を示すフローチャートである。
【図１２】実施の形態３に係る表示装置における操作指示ファイル確認処理を示すフローチャートである。
【発明を実施するための形態】
【００１７】
以下、実施の形態に係る表示装置及び当該表示装置が行う表示方法について説明する。
【００１８】
実施の形態１．
図１は、実施の形態１に係る表示装置１００を利用したネットワークシステム１６０の構成を概略的に示すブロック図である。ネットワークシステム１６０は、表示装置１００と、カード型無線通信装置１２０と、情報処理装置としての外部端末１４０とを備える。なお、図１の括弧内の符号は、実施の形態２及び３の構成を示す。
【００１９】
ここで、カード型無線通信装置１２０は、表示装置１００に取り外し可能に接続されるデバイスである。このネットワークシステム１６０では、無線ＬＡＮ機能を持つスマートフォン等の外部端末１４０が、メモリ機能、無線ＬＡＮアクセスポイント機能及びデータ送受信機能を持つカード型無線通信装置１２０を無線ＬＡＮのアクセスポイントとして認識して接続する。そして、外部端末１４０とカード型無線通信装置１２０とは、無線ＬＡＮを介してデータの送受信を行う。カード型無線通信装置１２０を装着した表示装置１００は、カード型無線通信装置１２０をリムーバブルストレージデバイスとして認識する。
【００２０】
図２は、実施の形態１におけるカード型無線通信装置１２０の構成を概略的に示すブロック図である。カード型無線通信装置１２０は、無線ＬＡＮ部１２１と、不揮発性メモリ１２２と、制御部１２３と、接続部１２４とを備える。
【００２１】
無線ＬＡＮ部１２１は、無線通信を行う。
不揮発性メモリ１２２は、ファイルを記憶する。なお、不揮発性メモリ１２２は、カード型無線通信装置１２０が有するファイルシステムを管理するためのファイルシステム情報を記憶している。
制御部１２３は、装置全体を制御する。例えば、制御部１２３は、無線ＬＡＮ部１２１を介して、外部端末１４０とファイルの送受信を行う。そして、制御部１２３は、受信されたファイルが不揮発性メモリ１２２に書き込まれると、不揮発性メモリ１２２に記憶されているファイルシステム情報を更新する。カード型無線通信装置１２０を装着した表示装置１００は当該ファイルシステム情報に基づいてカード型無線通信装置１２０をマウントすることで不揮発性メモリ１２２に記憶されている各ファイルにアクセスすることができる。
接続部１２４は、外部の装置と接続するためのインターフェースである。本実施の形態では、カード型無線通信装置１２０は、接続部１２４を介して、表示装置１００に接続される。カード型無線通信装置１２０は、ＳＤカードのような小型サイズのカードデバイスから構成されていることが一般的であり、様々なポータブルデバイスのインターフェース部であるカードスロットに装着することができる。
【００２２】
図３は、実施の形態１に係る表示装置１００の構成を概略的に示すブロック図である。表示装置１００は、制御部１０１と、記憶部１０９と、デコーダ部１１０と、表示制御部１１１と、表示部１１２と、インターフェース制御部（以下、Ｉ／Ｆ制御部という）１１３と、インターフェース部（以下、Ｉ／Ｆ部という）１１４と、入力部１１５とを備える。
【００２３】
制御部１０１は、表示装置１００全体の制御を行う。さらに、制御部１０１は、処理実行部１０２と、ファイル更新判定部１０５と、ファイルアクセス排他制御部１０６とを備える。
【００２４】
処理実行部１０２は、予め定められた処理を行う。本実施の形態においては、処理実行部１０２は、Ｉ／Ｆ部１１４に装着されたカード型無線通信装置１２０の不揮発性メモリ１２２に記憶されている画像ファイル又は動画ファイルに対して予め定められた処理を行う。処理実行部１０２は、ファイルリスト生成部１０３と、ファイル再生部１０４とを備える。
【００２５】
ファイルリスト生成部１０３は、Ｉ／Ｆ部１１４に装着されたカード型無線通信装置１２０の不揮発性メモリ１２２に記憶されている画像ファイル及び動画ファイルの少なくとも何れか一方の一覧リストであるファイルリストを生成する。そして、ファイルリスト生成部１０３は、表示制御部１１１を介して、生成されたファイルリストを表示部１１２に表示させる。なお、本実施の形態では、ファイルリストは、画像ファイル及び動画ファイルの両方の一覧リストであるが、何れか一方だけであってもよい。また、ファイルリストには、画像ファイル及び動画ファイル以外のファイルも含まれていてもよい。
【００２６】
ファイル再生部１０４は、Ｉ／Ｆ部１１４に装着されたカード型無線通信装置１２０の不揮発性メモリ１２２に記憶されている画像ファイル又は動画ファイルの再生処理を行う。例えば、ファイル再生部１０４は、その不揮発性メモリ１２２から画像ファイル又は動画ファイルを取得して、その画像ファイル又は動画ファイルに基づいて画像を再生し、表示部１１２に表示させる。
【００２７】
ファイル更新判定部１０５は、Ｉ／Ｆ部１１４に装着されたカード型無線通信装置１２０の不揮発性メモリ１２２に、新たなファイルが記憶されたか否かを判定する。例えば、ファイル更新判定部１０５は、Ｉ／Ｆ部１１４に装着されたカード型無線通信装置１２０の不揮発性メモリ１２２に記憶されているファイルの記録情報を作成し、過去の記録情報との差分を確認することで、記録情報が更新されているかどうかの判定処理を行う。ここで、記録情報は、カード型無線通信装置１２０の不揮発性メモリ１２２に記憶されているファイルを識別するための識別情報であるファイル名をリスト化した情報である。なお、記録情報に格納しておくファイル名については、画像ファイル及び動画ファイルの少なくとも何れか一方のファイル名だけでもよい。このようにすることで、ファイル更新判定部１０５は、画像ファイル及び動画ファイルの少なくとも何れか一方が新たに記憶されたことを検出することができる。
【００２８】
ファイルアクセス排他制御部１０６は、Ｉ／Ｆ部１１４に装着されたカード型無線通信装置１２０の不揮発性メモリ１２２のアクセス権を管理し、ファイルリスト生成部１０３又はファイル再生部１０４と、ファイル更新判定部１０５とが同時に不揮発性メモリ１２２にアクセスしないように排他処理を行う。
【００２９】
記憶部１０９は、表示装置１００での処理に必要な情報を記憶する。例えば、本実施の形態においては、記憶部１０９は、ファイル更新判定部１０５が管理する過去の記録情報である基準記録情報、及び、ファイルアクセス排他制御部１０６が管理するアクセス権の状態を示すアクセス権管理情報を記憶する。
【００３０】
デコーダ部１１０は、符号化された画像ファイル（例えば、ＪＰＥＧファイル）又は動画ファイル（例えば、ＭＰＥＧファイル）の復号処理を行い、画像データ又は動画データを生成する。
【００３１】
表示制御部１１１は、表示部１１２を制御する。例えば、表示制御部１１１は、デコーダ部１１０で復号された画像データ又は動画データにテキスト文等のグラフィックスデータの合成処理を行い、表示部１１２に出力する。
【００３２】
表示部１１２は、表示制御部１１１の制御に応じて、画像データ又は動画データに基づいて、画像を表示する。
【００３３】
Ｉ／Ｆ制御部１１３は、Ｉ／Ｆ部１１４に装着されたＳＤカードのようなカードデバイスを制御するコントローラである。Ｉ／Ｆ部１１４にカード型無線通信装置１２０が装着されると、Ｉ／Ｆ制御部１１３は装着を検知して制御部１０１に装着通知を与える。
【００３４】
Ｉ／Ｆ部１１４は、表示装置１００に外部の装置を接続するインターフェースである。例えば、Ｉ／Ｆ部１１４は、カードデバイスを装着するカードスロットにより形成することができる。
【００３５】
入力部１１５は、ユーザから指示の入力を受け付ける。
【００３６】
図４は、実施の形態１に係る表示装置１００にカード型無線通信装置１２０が装着された際のメイン処理を示すフローチャートである。
【００３７】
Ｉ／Ｆ部１１４にカード型無線通信装置１２０が装着されたことを検知すると（Ｓ１０：Ｙｅｓ）、Ｉ／Ｆ制御部１１３は、制御部１０１に装着通知を与える（Ｓ１１）。
【００３８】
装着通知を受けた制御部１０１では、ファイルリスト生成部１０３が、カード型無線通信装置１２０に記憶されているファイルのファイルリスト表示処理を開始する（Ｓ１２）。なお、ファイルリスト生成部１０３は、入力部１１５がユーザからファイルリスト表示の指示を受けたときに、カード型無線通信装置１２０に記憶されているファイルリスト表示処理を開始してもよい。また、ファイルリスト表示処理については、図８を用いて詳細に説明する。
【００３９】
ファイルリストが表示部１１２に表示された後、入力部１１５がユーザから再生を行うファイルを指定したファイル再生の指示を受けると（Ｓ１３：Ｙｅｓ）、ファイル再生部１０４は、ユーザから指定された画像ファイル又は動画ファイルの再生処理を開始する（Ｓ１４）。なお、画像ファイル又は動画ファイルの再生処理については、図９を用いて詳細に説明する。
【００４０】
また、装着通知を受けた制御部１０１では、ファイルリスト表示処理（Ｓ１２）等と並行して、ファイル更新判定部１０５が、予め定められた時間が経過したか否か判断する（Ｓ１５）。予め定められた時間を計測する起点は、予め定められた時でよいが、例えば、装着通知を受けた時又は予め定められた時間が前回経過した時であればよい。そして、予め定められた時間が経過した場合（Ｓ１５：Ｙｅｓ）には、処理はステップＳ１６に進む。
【００４１】
ステップＳ１６では、ファイル更新判定部１０５は、カード型無線通信装置１２０の不揮発性メモリ１２２に記憶されているファイルの記録情報が更新されているか否かの判定処理を開始する。このファイル更新判定処理については、図５を用いて詳細に説明する。
【００４２】
そして、制御部１０１は、ファイル更新判定部１０５から、カード型無線通信装置１２０の不揮発性メモリ１２２に記憶されているファイルの記録情報が更新されていることを示す更新通知を受け取ったか否かを確認する（Ｓ１７）。更新通知が受け取られた場合（Ｓ１７：Ｙｅｓ）には、処理は、ステップＳ１２及びＳ１５に進む。この場合、制御部１０１のファイルリスト生成部１０３は、ファイルリスト表示処理を開始する（Ｓ１２）。一方、更新通知が予め定められた時間内に受け取られていない場合（Ｓ１７：Ｎｏ）には、処理は、ステップＳ１５に進む。
【００４３】
以上のように、カード型無線通信装置１２０が装着された際のメイン処理では、ファイルリスト表示処理及びファイル再生処理と並行して、周期的にファイルの記録情報の更新確認が行われる。
【００４４】
図５は、実施の形態１に係る表示装置１００におけるファイル更新判定処理を示すフローチャートである。
【００４５】
ファイル更新判定処理が開始されると、ファイルアクセス排他制御部１０６は、アクセス権取得処理を行う（Ｓ２０）。このアクセス権取得処理については、図６を用いて詳細に説明する。
【００４６】
ステップＳ２０でアクセス権が取得できると、ファイル更新判定部１０５は、Ｉ／Ｆ制御部１１３及びＩ／Ｆ部１１４を介して、カード型無線通信装置１２０を一度アンマウントした後で再びマウントする（Ｓ２１）。これにより、最新のファイルシステム情報でマウントが行われる。
【００４７】
マウントに成功すると、ファイル更新判定部１０５は、カード型無線通信装置１２０に記憶されているファイルの記録情報を作成する（Ｓ２２）。
【００４８】
次に、ファイル更新判定部１０５は、記憶部１０９に基準記録情報が有るかどうかを確認する（Ｓ２３）。基準記録情報が有る場合（Ｓ２３：Ｙｅｓ）には、処理はステップＳ２４に進み、基準記録情報が無い場合（Ｓ２３：Ｎｏ）には、処理はステップＳ２６に進む。
【００４９】
ステップＳ２４では、ファイル更新判定部１０５は、ステップ２２で作成された記録情報と、記憶部１０９に記憶されている基準記録情報の差分確認を行う。これにより、ファイル更新判定部１０５は、カード型無線通信装置１２０の不揮発性メモリ１２２に新たにファイルが記憶されたか否かを判断する。そして、差分がある場合（Ｓ２４：Ｙｅｓ）には、処理はステップＳ２５に進み、差分がない場合（Ｓ２４：Ｎｏ）には、処理はステップＳ２６に進む。
【００５０】
ステップＳ２５では、ファイル更新判定部１０５は、更新通知を制御部１０１に与える。
【００５１】
ステップＳ２６では、ファイル更新判定部１０５は、ステップＳ２２で作成された記録情報を、基準記録情報として記憶部１０９に記憶させることで、基準記録情報の更新を行う（Ｓ２６）。
【００５２】
最後に、ファイルアクセス排他制御部１０６は、アクセス権解放処理を行う（Ｓ２７）。このアクセス権解放処理については、図７を用いて詳細に説明する。
【００５３】
以上のように、表示装置１００は、カード型無線通信装置１２０を周期的に再マウントすることで、最新の記録情報を作成し、作成された記録情報を基に更新の有無を確認することでファイルが新たに記憶されたことを検知することができる。
【００５４】
図６は、実施の形態１に係る表示装置１００におけるファイルアクセス排他制御処理の第１の例を示すフローチャートである。図６は、アクセス権を取得する際の処理を示す。
【００５５】
アクセス権取得処理が開始されると、ファイルアクセス排他制御部１０６は、アクセス権の状態を示すアクセス権管理情報を記憶部１０９から取得する（Ｓ３０）。
【００５６】
次に、ファイルアクセス排他制御部１０６は、取得されたアクセス権管理情報を参照することで、アクセス権の状態確認を行う（Ｓ３１）。アクセス権が使用状態である場合（Ｓ３１：Ｙｅｓ）には、処理はステップＳ３０に戻り、アクセス権が不使用状態である場合（Ｓ３１：Ｎｏ）には、処理はステップＳ３２に進む。
【００５７】
ステップＳ３２では、ファイルアクセス排他制御部１０６は、記憶部１０９に記憶されているアクセス権管理情報を更新して、アクセス権を使用状態に変更する（Ｓ３２）。
【００５８】
図７は、実施の形態１に係る表示装置１００におけるファイルアクセス排他制御処理の第２の例を示すフローチャートである。図７は、アクセス権を解放する際の処理を示す。
【００５９】
アクセス権解放処理が開始されると、ファイルアクセス排他制御部１０６は、記憶部１０９に記憶されているアクセス権管理情報を更新して、アクセス権を未使用状態に変更する（Ｓ４０）。
【００６０】
図８は、実施の形態１に係る表示装置１００におけるファイルリスト表示処理を示すフローチャートである。
【００６１】
ファイルリスト表示処理が開始されると、ファイルアクセス排他制御部１０６は、アクセス権取得処理を行う（Ｓ５０）。この処理は、図６に示されている。
【００６２】
ステップ５０でアクセス権が取得できると、ファイルリスト生成部１０３は、Ｉ／Ｆ制御部１１３及びＩ／Ｆ部１１４を介して、カード型無線通信装置１２０を一度アンマウントした後で再びマウントする（Ｓ５１）。
【００６３】
マウントに成功すると、ファイルリスト生成部１０３は、カード型無線通信装置１２０に記憶されている画像ファイル及び動画ファイルを読み込んでファイルリスト表示に必要なリスト情報を構築する（Ｓ５２）。
【００６４】
ファイルリスト生成部１０３は、リスト情報を構築するとファイルリストを表示部１１２に表示させる（Ｓ５３）。
【００６５】
最後に、ファイルアクセス排他制御部１０６がアクセス権解放処理を行う（Ｓ５４）。この処理は、図７に示されている。
【００６６】
図９は、実施の形態１に係る表示装置１００におけるファイル再生処理を示すフローチャートである。
【００６７】
ファイル再生が開始されると、ファイルアクセス排他制御部１０６は、アクセス権取得処理を行う（Ｓ６０）。この処理は、図６に示されている。
【００６８】
次に、ファイル再生部１０４は、再生指示されたカード型無線通信装置１２０に記憶されている画像ファイル又は動画ファイルを読み込んで、これのデコード処理をデコーダ部１１０に行わせる（Ｓ６１）。
【００６９】
ファイル再生部１０４は、デコードされた画像データ又は動画データに従って、画像を表示部１１２に表示させる（Ｓ６２）。
【００７０】
最後に、ファイルアクセス排他制御部１０６は、アクセス権解放処理を行う（Ｓ６３）。この処理は、図７に示されている。
【００７１】
以上のように、ファイルリスト表示処理又はファイル再生処理において、カード型無線通信装置１２０をマウントしてファイルへのアクセスが行われている最中は、ファイル更新判定部１０５は、ファイル更新判定処理において、カード型無線通信装置１２０をアンマウントしないようにすることで、ファイルリスト表示処理又はファイル再生処理において正常にファイルにアクセスできずに、画像の表示が途中で止まることを防ぐことができる。
【００７２】
以上、本実施の形態によれば、一般的なカード型無線通信装置１２０を表示装置１００に装着し、ユーザが表示装置１００に表示させたい画像ファイル又は動画ファイルをスマートフォン等の外部端末１４０からカード型無線通信装置１２０に送信した場合に、即時に送信された画像ファイル又は動画ファイルを含めたファイルの一覧表示が行われるため、ユーザは迅速に再生操作に移ることができる。このため、ユーザの利便性を向上することができる。
【００７３】
また、本実施の形態によれば、ファイルの一覧表示中又は再生中においても、表示中の画像を破綻させることなく、外部端末１４０からカード型無線通信装置１２０にファイルが送信されたことを検知することができる。このため、ユーザに満足感を与えることができる。
【００７４】
さらに、本実施の形態によれば、普及している、メモリ機能、無線ＬＡＮアクセスポイント機能及びデータ送受信機能を持つ、一般的なカード型無線通信装置１２０を利用することができるため、現存する表示装置１２０に新たな機能を組み込むことで、容易に本発明を実現することができる。
【００７５】
実施の形態２．
図１に示されているように、実施の形態２におけるネットワークシステム２６０は、表示装置２００と、カード型無線通信装置１２０と、外部端末１４０とを備える。実施の形態２におけるネットワークシステム２６０は、表示装置２００において、実施の形態１におけるネットワークシステム１６０と異なっている。
【００７６】
図３に示されているように、実施の形態２に係る表示装置２００は、制御部２０１と、記憶部１０９と、デコーダ部１１０と、表示制御部１１１と、表示部１１２と、Ｉ／Ｆ制御部１１３と、Ｉ／Ｆ部１１４と、入力部１１５とを備える。実施の形態２に係る表示装置２００は、制御部２０１において、実施の形態１に係る表示装置１００と異なっている。
【００７７】
制御部２０１は、表示装置２００全体の制御行う。さらに、制御部２０１は、処理実行部１０２と、ファイル更新判定部２０５と、ファイルアクセス排他制御部１０６とを備える。実施の形態２における制御部２０１は、ファイル更新判定部２０５において、実施の形態１における制御部１０１と異なっている。
【００７８】
ファイル更新判定部２０５は、Ｉ／Ｆ部１１４に装着されたカード型無線通信装置１２０の不揮発性メモリ１２２に記憶されているファイルの記録情報を作成し、過去の記録情報との差分を確認して、記録情報が更新されているかどうかの判定処理を行う。実施の形態２における記録情報は、カード型無線通信装置１２０の不揮発性メモリ１２２に記憶されているファイルの総数を示す情報、又は、不揮発性メモリ１２２のメモリ使用量を示す情報である。なお、ファイルの総数は、画像ファイル及び動画ファイルの少なくとも何れか一方の総数であってもよい。
【００７９】
以上、本実施の形態によれば、記録情報の作成時間及び更新有無の判定に要する時間を短縮することができるのでファイルの一覧表示を早くすることができる。
【００８０】
実施の形態３．
図１に示されているように、実施の形態３におけるネットワークシステム３６０は、表示装置３００と、カード型無線通信装置１２０と、外部端末１４０とを備える。実施の形態３におけるネットワークシステム３６０は、表示装置３００において、実施の形態１におけるネットワークシステム１６０と異なっている。
【００８１】
図１０は、実施の形態３に係る表示装置３００の構成を概略的に示すブロック図である。表示装置３００は、制御部３０１と、記憶部１０９と、デコーダ部１１０と、表示制御部１１１と、表示部１１２と、Ｉ／Ｆ制御部１１３と、Ｉ／Ｆ部１１４と、入力部１１５とを備える。実施の形態３に係る表示装置３００は、制御部３０１において、実施の形態１に係る表示装置１００と異なっている。
【００８２】
制御部３０１は、表示装置３００全体の制御行う。さらに、制御部３０１は、処理実行部３０２と、ファイルアクセス排他制御部１０６と、操作指示ファイル確認部３０７とを備える。実施の形態３における制御部３０１は、処理実行部３０２での処理の点、及び、ファイル更新判定部１０５の代わりに操作指示ファイル確認部３０７が設けられている点において、実施の形態１における制御部１０１と異なっている。
【００８３】
操作指示ファイル確認部３０７は、Ｉ／Ｆ部１１４に装着されたカード型無線通信装置１２０の不揮発性メモリ１２２に記憶されているファイルの中から、操作指示を示す操作指示ファイルを検出し、操作指示ファイルで示されている操作指示（例えば、操作指示内容及び操作に必要な情報）を取得する。
【００８４】
操作指示ファイルは、予め決定された特定のファイル名を持っており、操作指示ファイルに操作指示内容及び操作に必要な情報が記載されている。操作指示内容は、ファイル再生又は時刻設定等であり、操作に必要な情報は、ファイル名又は設定する時刻を示す時刻情報等である。
【００８５】
処理実行部３０２は、予め定められた処理を行う。本実施の形態においては、処理実行部３０２は、操作指示ファイル確認部３０７で取得された操作指示に従って処理を行う。処理実行部３０２は、ファイルリスト生成部１０３と、ファイル再生部１０４と、時刻処理部３０８とを備える。実施の形態３における処理実行部３０２は、時刻処理部３０８をさらに備える点において、実施の形態１における処理実行部１０２と異なっている。
【００８６】
時刻処理部３０８は、表示装置３００における時刻を計測する。また、時刻処理部３０８は、操作指示ファイル確認部３０７で確認された操作指示ファイルが時刻設定を示している場合に、計測している時刻を操作指示ファイルで示されている時刻に設定する。
【００８７】
また、操作指示内容がファイル名で示されていてもよい。この場合、ファイルには操作に必要な情報のみが記載されている。例えば、ファイル再生が指示される場合、ファイル名は「IMG_Play.txt」となり、ファイルにはテキスト文で再生する画像ファイル又は動画ファイルを示す「00001.jpg」が含まれる。また、ファイルリスト表示が指示される場合、ファイル名は「IMG_ListPlay.txt」となり、ファイルには何も記述がされない。
【００８８】
図１１は、実施の形態３に係る表示装置３００にカード型無線通信装置１２０が装着された際のメイン処理を示すフローチャートである。
【００８９】
Ｉ／Ｆ部１１４にカード型無線通信装置１２０が装着されたことを検知すると（Ｓ７０：Ｙｅｓ）、Ｉ／Ｆ制御部１１３は、制御部３０１に装着通知を与える（Ｓ７１）。
【００９０】
装着通知を受けた制御部３０１は、操作指示ファイル確認部３０７から操作指示通知を受けたか否かを確認する（Ｓ７２）。操作指示通知を受けている場合（Ｓ７２：Ｙｅｓ）には、処理はステップＳ７３に進み、操作指示通知を受けていない場合（Ｓ７２：Ｎｏ）には、処理はステップＳ７４に進む。
【００９１】
ステップＳ７３では、制御部３０１は、操作指示ファイル確認部３０７から受けた操作指示通知がファイルリストの表示指示であるか否かを確認する。操作指示通知がファイルリストの表示指示である場合（Ｓ７３：Ｙｅｓ）には、処理はステップＳ７４に進み、操作指示通知がファイルリストの表示指示ではない場合（Ｓ７３：Ｎｏ）には、処理はステップＳ７６に進む。
【００９２】
ステップＳ７４では、ファイルリスト生成部１０３は、カード型無線通信装置１２０に記憶されているファイルのファイルリスト表示処理を開始する（Ｓ７４）。ここで、ファイルリスト生成部１０３は、入力部１１５がユーザからファイルリスト表示の指示を受けたときに、ファイルリスト表示処理を開始してもよい。なお、ファイルリスト表示処理は、図８に示されている。そして、処理はステップＳ７５に進む。
【００９３】
ステップＳ７５では、ファイル再生部１０４は、入力部１１５がユーザからファイル再生の指示を受けたか否かを確認する（Ｓ７５）。ファイル再生の指示を受けた場合（Ｓ７５：Ｙｅｓ）には、処理はステップＳ７７に進む。
【００９４】
ステップＳ７６では、制御部３０１は、操作指示ファイル確認部３０７から受けた操作指示通知がファイルの再生指示であるか否かを確認する。操作指示通知がファイルの再生指示である場合（Ｓ７６：Ｙｅｓ）には、処理はステップＳ７７に進み、操作指示通知がファイルの再生指示ではない場合（Ｓ７６：Ｎｏ）には、処理はステップＳ７８に進む。
【００９５】
ステップＳ７７では、ファイル再生部１０４は、指定された画像ファイル又は動画ファイルの再生処理を開始する。なお、画像ファイル又は動画ファイルの再生処理は、図９に示されている。
【００９６】
ステップＳ７８では、制御部３０１は、操作指示ファイル確認部３０７から受けた操作指示通知が時刻設定指示であるか否かを確認する。操作指示通知が時刻設定指示である場合（Ｓ７８：Ｙｅｓ）には、処理はステップＳ７９に進み、操作指示通知が再生指示ではない場合（Ｓ７８：Ｎｏ）には、フローは終了する。
【００９７】
ステップＳ７９では、時刻処理部３０８は、計測している時刻を指示された時刻に設定する。
【００９８】
また、装着通知を受けた制御部３０１では、ステップＳ７２〜Ｓ７９の処理と並行して、操作指示ファイル確認部３０７が、予め定められた時間が経過したか否か判断する（Ｓ８０）。予め定められた時間を計測する起点は、予め定められた時でよいが、例えば、装着通知を受けた時又は予め定められた時間が前回経過した時であればよい。そして、予め定められた時間が経過した場合（Ｓ８０：Ｙｅｓ）には、処理はステップＳ８１に進む。
【００９９】
ステップＳ８１では、操作指示ファイル確認部３０７は、操作指示ファイル確認部３０７はカード型無線通信装置１２０の不揮発性メモリ１２２に記憶されているファイルの中から操作指示ファイルの検出処理を開始する。操作指示ファイルがある場合は、操作指示ファイル確認部３０７は、操作指示通知を制御部３０１に与える。この操作指示ファイル掲出処理については、図１２を用いて詳細に説明する。
【０１００】
次に、制御部３０１は、操作指示ファイル確認部３０７から操作指示通知を受けたか否かを確認する（Ｓ８２）。操作指示通知を受けている場合（Ｓ８２：Ｙｅｓ）には、処理はステップＳ７２及びＳ８０に進み、操作指示通知を受けていない場合（Ｓ８２：Ｎｏ）には、処理はステップＳ８０に進む。
【０１０１】
以上のように、カード型無線通信装置１２０の装着後のメイン処理では、ファイルリスト表示処理等と並行して周期的にファイルの記録情報の更新確認が行われる。
【０１０２】
図１２は、実施の形態３に係る表示装置３００における操作指示ファイル確認処理を示すフローチャートである。
【０１０３】
操作指示ファイル確認処理が開始されると、ファイルアクセス排他制御部１０６がアクセス権取得処理を行う（Ｓ９０）。この処理は、図６に示されている。
【０１０４】
ステップＳ９０でアクセス権が取得できると、操作指示ファイル確認部３０７は、カード型無線通信装置１２０を一度アンマウントした後でマウントする（Ｓ９１）。
【０１０５】
次に、操作指示ファイル確認部３０７は、カード型無線通信装置１２０に記憶されているファイルの中から操作指示ファイルを検索する（Ｓ９２）。
【０１０６】
そして、操作指示ファイル確認部３０７は、操作指示ファイルの有無を確認する（Ｓ９３）。そして、操作指示ファイルがある場合（Ｓ９３：Ｙｅｓ）には、処理はステップＳ９４に進み、操作指示ファイルがない場合（Ｓ９３：Ｎｏ）には、処理はステップＳ１０２に進む。
【０１０７】
ステップＳ９４では、操作指示ファイル確認部３０７は、操作指示ファイルの解析を行い、操作指示内容及び操作に必要な情報を取得して、操作指示内容を確認する。操作指示内容がファイル再生指示である場合には、処理はステップＳ９５に進み、操作指示内容がファイルリスト表示指示である場合には、処理はステップＳ９７に進み、操作指示内容が時刻設定指示である場合には、処理はステップＳ９８に進む。
【０１０８】
ステップＳ９５では、操作指示ファイル確認部３０７は、ファイル再生指示を取得する。そして、操作指示ファイル確認部３０７は、再生するファイル名を取得して（Ｓ９６）、処理はステップＳ１００に進む。
【０１０９】
ステップＳ９７では、操作指示ファイル確認部３０７は、ファイルリスト表示指示を取得する。そして、処理はステップＳ１００に進む。
【０１１０】
ステップＳ９８では、操作指示ファイル確認部３０７は、時刻設定指示を取得する。そして、操作指示ファイル確認部３０７は、設定する時刻情報を取得して、処理はステップＳ１００に進む。
【０１１１】
ステップＳ１００では、操作指示ファイル確認部３０７は、取得された指示内容に対応した操作指示通知を制御部３０１に与える。
【０１１２】
そして、操作指示通知を送信した後、操作指示ファイル確認部３０７は、カード型無線通信装置１２０に記憶されている操作指示ファイルを削除する（Ｓ１０１）。これにより、操作指示ファイル確認部３０７は、カード型無線通信装置１２０に操作指示ファイルがあるか否かにより、新たな操作指示ファイルが記憶されたか否かを検出することができる。
【０１１３】
最後に、ファイルアクセス排他制御部１０６がアクセス権解放処理を行う（Ｓ１０２）。この処理は、図７に示されている。
【０１１４】
以上のように、カード型無線通信装置１２０を周期的に再マウントすることで、新たに操作指示ファイルが記憶されたことを検知することができる。
【０１１５】
以上、本実施の形態によれば、普及している一般的なカード型無線通信装置１２０を表示装置３００に装着している際に、ユーザが表示装置３００に表示させたい画像ファイル又は動画ファイル、及び、操作指示ファイルをスマートフォン等の外部端末１４０からカード型無線通信装置１２０に送信したことを検知することができる。これにより、本実施の形態によれば、即時に送信された画像ファイル又は動画ファイルを含めたファイルの一覧表示等を行うことができる。このため、ユーザ利便性を向上することができる。
【符号の説明】
【０１１６】
１００，２００，３００  表示装置、  １０１，２０１，３０１  制御部、  １０３  ファイルリスト生成部、  １０４  ファイル再生部、  １０５，２０５  ファイル更新判定部、  １０６  ファイルアクセス排他制御部、  ３０７  操作指示ファイル確認部、  ３０８  時刻処理部、  １０９  記憶部、  １１０  デコーダ部、  １１１  表示制御部、  １１２  表示部、  １１３  Ｉ／Ｆ制御部、  １１４  Ｉ／Ｆ部、  １１５  入力部、  １２０  カード型無線通信装置、  １２１  無線ＬＡＮ部、  １２２  不揮発性メモリ、  １２３  制御部、  １２４  接続部、  １４０  外部端末、  １６０  ネットワークシステム。
【図１】
2014089517.tif 000003
【図２】
2014089517.tif 000004
【図３】
2014089517.tif 000005
【図４】
2014089517.tif 000006
【図５】
2014089517.tif 000007
【図６】
2014089517.tif 000008
【図７】
2014089517.tif 000009
【図８】
2014089517.tif 000010
【図９】
2014089517.tif 000011
【図１０】
2014089517.tif 000012
【図１１】
2014089517.tif 000013
【図１２】
2014089517.tif 000014